(57)【要約】【課題】手動閉鎖装置についての設置構造の簡略化を図るとともに、枠部材と同様の曲げ加工で手動閉鎖ワイヤーの保護カバーを適切に製作でき、コストを抑制できるエレベーター乗場出入口装置を得る。【解決手段】鋼板からなる板状部材を曲げて形成されエレベーター乗場出入口に設置される枠部材３、枠部材３に組込まれエレベーター乗場出入口における遮煙および遮炎を行うためのスクリーン装置４、枠部材３に組込まれ手動閉鎖ワイヤー１０を介してスクリーン装置４の閉鎖を行うための手動閉鎖装置６を備え、手動閉鎖ワイヤー６ａを囲むように板状部材を曲げて形成され手動閉鎖装置６とスクリーン装置４との間に延在して手動閉鎖ワイヤー６ａを保護する保護カバー７を設けた。【選択図】図１
2006036404.tif 000002
【特許請求の範囲】
【請求項１】
板状部材を曲げて形成されエレベーター乗場出入口に設置される枠部材、前記枠部材に組込まれ前記エレベーター乗場出入口における遮煙および遮炎を行うためのスクリーン装置、前記枠部材に組込まれ手動閉鎖ワイヤーを介して前記スクリーン装置の閉鎖を行うための手動閉鎖装置を備え、前記手動閉鎖ワイヤーを囲むように板状部材を曲げて形成され前記手動閉鎖装置と前記スクリーン装置との間に延在して前記手動閉鎖ワイヤーを保護する保護カバーを設けたことを特徴とするエレベーター乗場出入口装置。
【請求項２】
前記手動閉鎖ワイヤーを囲むように板状部材を曲げて形成され前記手動閉鎖装置と前記スクリーン装置との間に延在して前記手動閉鎖ワイヤーを保護する保護カバーを設けるとともに、前記保護カバーを手動閉鎖装置全体が収まる形状とし、前記保護カバーの下端面を閉塞部材で閉塞したことを特徴とする請求項１に記載のエレベーター乗場出入口装置。
【請求項３】
前記保護カバーを取り付ける取付具を前記枠部材に設けたことを特徴とする請求項１または請求項２に記載のエレベーター乗場出入口装置。
【請求項４】
板状部材を曲げて形成され上方枠および縦枠で構成されてエレベーター乗場出入口に設置される枠部材、前記枠部材の上方枠に組込まれスクリーン部材の下方への展開により前記エレベーター乗場出入口における遮煙および遮炎を行うためのスクリーン装置、前記枠部材の縦枠に設けられ前記スクリーン部材を案内するガイド枠、前記枠部材に組込まれ手動閉鎖ワイヤーを介して前記スクリーン装置の閉鎖を行うための手動閉鎖装置を備え、前記手動閉鎖装置により前記スクリーン装置の閉鎖動作を行う前記手動閉鎖ワイヤーを囲むように板状部材を曲げて形成され前記手動閉鎖装置と前記スクリーン装置との間に延在して前記手動閉鎖ワイヤーを保護する保護カバーと、前記ガイド枠に設けられ前記保護カバーを取り付ける取付具とを設けるとともに、前記保護カバーを手動閉鎖装置全体が収まる形状とし、前記保護カバーの下端面を閉塞部材で閉塞したことを特徴とするエレベーター乗場出入口装置。
【発明の詳細な説明】
【技術分野】
【０００１】
この発明は、エレベーター乗場出入口装置、特に、エレベーター乗場出入口装置におけるスクリーン手動閉鎖装置の設置構造に関するものである。
【背景技術】
【０００２】
従来技術では、建物の開口部等に設置される建築用シャッターにおけるブレーキ解放用の手動操作装置として、装置の部品点数を少なくして簡略化を図ったものがあった（例えば、特許文献１参照）。
【０００３】
【特許文献１】特開平９−３２４５９０号公報
【発明の開示】
【発明が解決しようとする課題】
【０００４】
従来技術での建築用シャッターにおけるブレーキ解放用の手動操作装置においては、その手動操作装置は、シャッターカーテンを開放し停止して閉鎖制御するための押し釦式の操作スイッチとともに建物躯体に埋設した操作ボックスに配設された構造であって、しかも操作スイッチの押し釦に対向する部位は押し破ることによって窓が開き、押し操作（ブレーキ解放操作のための押し操作ができるようになっている。
つまり、操作ボックスは建物の壁に埋め込まれており、壁との取合や埋め込むための段取等の検討が必要であり、それだけ据付けコストが嵩み、手動操作装置に対するワイヤの連結およびその保護が不完全であり、更に、押し釦操作後に窓の新設が必要である等の問題点があった。
【０００５】
従来技術におけるシャッターカーテンに相当する遮煙・遮炎スクリーン組込型三方枠の構成部位である縦枠内にスクリーン手動閉鎖装置を嵌設し一体化するとともに、スクリーン手動閉鎖装置と遮煙・遮炎スクリーン装置とを管で接続し手動閉鎖ワイヤーを建築仕上げのモルタル等から保護することも考えられるが、この方策では、三方枠製作と同様の鋼板曲げで管を製作できないため製作コストがかかる。
また、工場で三方枠を組立て出荷する時点では建築仕上げがモルタルレスであり、縦枠に管を取付けていない状態で出荷したにもかかわらず、据付現場で急遽建築仕上げがモルタル詰めとなり管が必要になった場合に、管を新規に手配するなど据付コストがかかる問題があった。
【０００６】
この発明は、手動閉鎖装置についての設置構造の簡略化を図るとともに、枠部材と同様の曲げ加工で手動閉鎖ワイヤーの保護カバーを適切に製作でき、コストを抑制できるエレベーター乗場出入口装置を得ようとするものである。
【課題を解決するための手段】
【０００７】
この発明に係るエレベーター乗場出入口装置では、板状部材を曲げて形成されエレベーター乗場出入口に設置される枠部材に組込まれ前記エレベーター乗場出入口における遮煙および遮炎を行うためのスクリーン装置、前記枠部材に組込まれ手動閉鎖ワイヤーを介して前記スクリーン装置の閉鎖を行うための手動閉鎖装置を備え、前記手動閉鎖ワイヤーを囲むように板状部材を曲げて形成され前記手動閉鎖装置と前記スクリーン装置との間に延在して前記手動閉鎖ワイヤーを保護する保護カバーを設けたものである。
【発明の効果】
【０００８】
この発明によれば、手動閉鎖装置についての設置構造の簡略化を図るとともに、枠部材と同様の曲げ加工で手動閉鎖ワイヤーの保護カバーを適切に製作でき、コストを抑制できるエレベーター乗場出入口装置を得ることができる。
【発明を実施するための最良の形態】
【０００９】
実施の形態１．
この発明による実施の形態１を図１および図２について説明する。図１は実施の形態１における構成を示す乗場側正面図である。図２（ａ）は実施の形態１における構成を示す図１のＡ−Ａ線での断面図である。図２（ｂ）は図２（ａ）のＢ−Ｂ線での断面図である。
【００１０】
エレベーター乗場出入口装置における遮煙・遮炎スクリーン組込型三方枠の乗場側正面から見た構成を示す図１において、戸１および幕板２の両側および上方を囲むように三方枠３が設けられている。三方枠３は水平方向に延在する上方枠３ａおよび垂直方向に延在する縦枠３ｂにより構成される。三方枠３の上方枠３ａには遮煙・遮炎スクリーン装置４が組み込まれ、遮煙・遮炎スクリーン装置４のスクリーン部材４ａが下方に展開されることにより遮煙・遮炎スクリーン装置４による遮煙・遮炎動作が行われる。
三方枠３の縦枠３ｂには、遮煙・遮炎スクリーン装置４による遮煙・遮炎動作を行わせるための手動閉鎖装置６が組み込まれており、手動閉鎖装置６により手動閉鎖ワイヤー６ａを介して遮煙・遮炎スクリーン装置４の遮煙・遮炎動作を行わせる。
【００１１】
図１のＡ−Ａ線における断面図としての図２（ａ）に示すように、三方枠３の垂直方向に延在する縦枠３ｂは鋼板からなる板状部材の所定個所を縦枠３ｂの延在方向に延びる直線に沿って直角に折り曲げられた中空体を形成する構成部材により構成され、その中空部にモルタル等の充填材を充填するモルタル充填用空間Ｍを形成している。三方枠３の水平方向に延在する上方枠３ａも同様に構成される。三方枠３の上方枠３ａおよび縦枠３ｂは、外装材が装着された壁面５に連接して設置される。
また、三方枠３の縦枠３ｂには、ガイド枠３ｃが組み込まれ、遮煙・遮炎スクリーン装置４における遮煙・遮炎スクリーン部材４ａの展開移動を案内する。
そして、スクリーン手動閉鎖装置６は三方枠３の縦枠３ｂにおける中空部に正面および上面の一部を除きモルタル等の充填材に取り囲まれる状態で配設され縦枠３ｂに取り付けられる。保護カバー７はスクリーン手動閉鎖装置６から遮煙・遮炎スクリーン装置４（図１）に延びる手動閉鎖ワイヤー６ａに沿って延在するものであり、鋼板からなる板状部材の両側縁を保護カバー７の延在方向に延びる直線に沿って手動閉鎖ワイヤー６ａを囲むように直角に折り曲げたＵ字形断面を持つ溝型材相当の構成部材により構成され、保護カバー７の両端縁７ａ，７ｂは三方枠３の縦枠３ｂに取り付けられる。保護カバー７は三方枠３の縦枠３ｂにおける中空部に両側面および背面をモルタル等の充填材に取り囲まれる状態で配設されることになる。
【００１２】
図２（ａ）のＢ−Ｂ線における断面図としての図２（ｂ）に示すように、手動閉鎖ワイヤー６ａを囲む保護カバー７の下端面はスクリーン手動閉鎖装置６の上面に密着する状態で配設され、スクリーン手動閉鎖装置６および保護カバー７の密封状態は確実に保たれる。
スクリーン手動閉鎖装置６は、必要に応じて乗場から操作され、手動閉鎖ワイヤー６ａを介して遮煙・遮炎スクリーン装置４（図１）による遮煙・遮炎動作が実行される。
【００１３】
上記の構成により、三方枠３にモルタル等の充填材を詰める建築仕上げの場合に、従来技術のように手動閉鎖ワイヤー６ａを通す管を施工することなく手動閉鎖ワイヤー６ａをモルタル等の充填材から保護できると同時に、三方枠３の製作と同様に鋼板曲げで保護カバー７を手配できるため、従来技術による管施工に比べ製作コストを抑制できる。
【００１４】
この発明による実施の形態１によれば、長手方向に延在する鋼板からなる板状部材の所定箇所を鋼板からなる板状部材の延在方向に延びる直線に沿って直角に折り曲げてモルタル等の充填材を充填するモルタル充填用空間Ｍとしての中空部を形成された構成部材により構成されエレベーター乗場出入口に設置される上方枠３ａおよび縦枠３ｂを有する三方枠３からなる枠部材、前記三方枠３の上方枠３ａからなる枠部材に組込まれ前記エレベーター乗場出入口における遮煙および遮炎を行うためのスクリーン装置４、前記三方枠３からなる枠部材に組込まれ手動閉鎖ワイヤー６ａを介して前記スクリーン装置４の閉鎖を行うための手動閉鎖装置６を備え、前記手動閉鎖装置６により前記スクリーン装置４の閉鎖動作を行う前記手動閉鎖ワイヤー６ａを囲むように板状部材を曲げて形成され前記手動閉鎖装置６と前記スクリーン装置４との間に延在して前記手動閉鎖ワイヤー６ａを保護するＵ字状断面を持つ溝型材相当の形状を有する保護カバー７を設けたので、手動閉鎖装置についての設置構造の簡略化を図るとともに、枠部材と同様の曲げ加工で手動閉鎖ワイヤーの保護カバーを適切に製作でき、コストを抑制できるエレベーター乗場出入口装置を得ることができる。
【００１５】
実施の形態２．
この発明による実施の形態２を図３について説明する。図３（ａ）は実施の形態２における構成を示す図１のＡ−Ａ線での断面図である。図３（ｂ）は図３（ａ）のＢ−Ｂ線での断面図である。図４（ａ）は実施の形態２における他の構成を示す図１のＡ−Ａ線での断面図である。図４（ｂ）は図４（ａ）のＢ−Ｂ線での断面図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１６】
この実施の形態２では、図１のＡ−Ａ線における断面図としての図３（ａ）および図３（ａ）のＢ−Ｂ線における断面図としての図３（ｂ）に示すように、スクリーン手動閉鎖装置６と遮煙・遮炎スクリーン装置４（図１）の間に、手動閉鎖装置６の手動閉鎖ワイヤー６ａを囲む鋼板曲げ製の保護カバー７を縦枠３ｂに組込み、保護カバー７はスクリーン手動閉鎖装置６全体を覆う構造とし、保護カバー７の下端部端面は底板７ｃで密閉されている。
【００１７】
上記により、実施の形態１における効果と同等の効果を得られると同時に、モルタル等の充填材の手動閉鎖装置６の内部への侵入を防止でき、手動閉鎖装置全体の気密性が向上する。
【００１８】
また、図１のＡ−Ａ線における断面図としての図４（ａ）および図４（ａ）のＢ−Ｂ線における断面図としての図４（ｂ）に示す形態でも同等の効果を得られる。
すなわち、手動閉鎖ワイヤー６ａを保護する鋼板曲げ製保護カバー７の断面形状を概略Ｌ字形としてアングル材相当の形状とし、保護カバー７の一方の側縁端部７ｄを縦枠３ｂに固着するとともに、保護カバー７の他方の側縁端部７ｅを縦枠３ｂの中空部に設けられたガイド枠６に固着する構成としてもよい。
【００１９】
この発明による実施の形態２によれば、長手方向に延在する鋼板からなる板状部材の所定箇所を鋼板からなる板状部材の延在方向に延びる直線に沿って直角に折り曲げてモルタル等の充填材を充填するモルタル充填用空間Ｍとしての中空部を形成された構成部材により構成されエレベーター乗場出入口に設置される上方枠３ａおよび縦枠３ｂを有する三方枠３からなる枠部材、前記三方枠３の上方枠３ａからなる枠部材に組込まれ前記エレベーター乗場出入口における遮煙および遮炎を行うためのスクリーン装置４、前記三方枠３からなる枠部材に組込まれ手動閉鎖ワイヤー６ａを介して前記スクリーン装置４の閉鎖を行うための手動閉鎖装置６を備え、前記手動閉鎖装置６により前記スクリーン装置４の閉鎖動作を行う前記手動閉鎖ワイヤー６ａを囲むように板状部材を曲げて形成され前記手動閉鎖装置６と前記スクリーン装置４との間に延在して前記手動閉鎖ワイヤー６ａを保護するＵ字状断面またはＬ字状断面を持つ溝型材またはアングル材相当の形状を有する保護カバー７を設けるとともに、前記保護カバー７を手動閉鎖装置６全体が収まる形状とし、前記保護カバー７の下端面を底板７ｃからなる閉塞部材で密閉したので、手動閉鎖装置についての設置構造の簡略化を図るとともに、枠部材と同様の曲げ加工で手動閉鎖ワイヤーの保護カバーを適切に製作でき、コストを抑制できて、しかも、モルタル等の手動閉鎖装置の内部への侵入を確実に防止でき、手動閉鎖装置全体の気密性が向上するエレベーター乗場出入口装置を得ることができる。
【００２０】
実施の形態３．
この発明による実施の形態３を図５および図６について説明する。図５は実施の形態３における構成を示す図１のＡ−Ａ線での断面図である。図６は図５の矢視Ｄから見た側面図である。
この実施の形態３において、ここで説明する特有の構成以外の構成については、先に説明した実施の形態１または実施の形態２における構成と同一の構成内容を具備し、同様の作用を奏するものである。図中、同一符号は同一または相当部分を示す。
【００２１】
この実施の形態３では、図５および図６に示すように、手動閉鎖装置６の上に手動閉鎖装置６から手動閉鎖ワイヤー６ａに沿って遮煙・遮炎スクリーン装置４に向かって延在する取付金具８を設け、保護カバー７は取付金具８に対し手動閉鎖ワイヤー６ａを挟んでねじ８ａ，８ｂ等で固定されている。また、保護カバー７の下端部と手動閉鎖装置６の間にはシーリング材８ｃを設ける。
【００２２】
上記により、実施の形態１における効果と同等の効果を得られると同時に、工場で三方枠を組立て出荷する時点では建築仕上げがモルタルレスであり、縦枠３ｂに保護カバー７を取付けていない状態で出荷したにもかかわらず、据付現場で建築仕上げが急遽モルタル詰めとなり保護カバー７が必要になった場合には、据付現場にて容易に保護カバー７を製作し縦枠３ｂに取付けることができるので、従来の管の手配が不要となり据付コストを削減できる。
【００２３】
上記では、実施の形態１における構成への適用について説明したが、実施の形態２における構成について保護カバー７の取付金具８を設けるよう適用することもできる。
【００２４】
この発明による実施の形態３によれば、実施の形態１または実施の形態２における構成において、前記保護カバー７を取り付ける取付金具８からなる取付具を前記枠部材３の縦枠３ｂに設けたので、手動閉鎖装置についての設置構造の簡略化を図るとともに、枠部材と同様の曲げ加工で手動閉鎖ワイヤーの保護カバーを適切に製作でき、コストを抑制でき、しかも、保護カバーの取付を迅速かつ適切に行えるエレベーター乗場出入口装置を得ることができる。
【００２５】
実施の形態４．
この発明による実施の形態４を図７および図８について説明する。図７は実施の形態４における構成を示す図１のＡ−Ａ線での断面図である。図８は図７の矢視Ｄから見た側面図である。
この実施の形態４において、ここで説明する特有の構成以外の構成については、先に説明した実施の形態１から実施の形態３までのいずれかにおける構成と同一の構成内容を具備し、同様の作用を奏するものである。図中、同一符号は同一または相当部分を示す。
【００２６】
この実施の形態４では、図７および図８に示すように、ガイド枠６の側面に取付金具８を設け、保護カバー７は取付金具８およびつなぎ板８ｄに対しねじ８ｅ，８ｆ等で固定されている。また、保護カバー７と縦枠３ｂの間にはシーリング材８ｇを設け、つなぎ板８ｄと保護カバー７の間にスペーサー８ｈを挟むことによって保護カバー７がシーリング材８ｇを押えつける構造となっている。さらに、保護カバー７の下端部端面は蓋７ｂで塞がれている。
【００２７】
上記の構成により、実施の形態３における効果と同等の効果を得られると同時に、モルタル等の充填材のスクリーン手動閉鎖装置６内部への侵入を防止でき、スクリーン手動閉鎖装置６全体の気密性が向上する。また、保護カバー７を固定するねじ８ｅ等を締める作業を縦枠３ａの裏側から実施できるので、実施の形態３における構成に比べ保護カバー７の取付作業性が向上する。
【００２８】
この発明による実施の形態４においては、実施の形態３における構成において、保護カバー７の取付金具８をガイド枠６の側面に設け、保護カバー７は手動閉鎖装置６を囲んで取付金具８にねじ８ｅ等で固定する構造とする。さらに、保護カバー７の下端を密閉する蓋７ｂを設け、手動閉鎖装置６全体が保護カバー７に収まる構造としたので、手動閉鎖装置６についての設置構造の簡略化を図るとともに、枠部材３と同様の曲げ加工で手動閉鎖ワイヤー６ａの保護カバー７を適切に製作でき、コストを抑制できるエレベーター乗場出入口装置を得ることができる。
【００２９】
この発明による実施の形態４によれば、実施の形態３における構成において、板状部材を曲げて形成され上方枠３ａおよび縦枠３ｂで構成され縦枠３ｂ内部にガイド枠３ｃを設けてエレベーター乗場出入口に設置される枠部材３、前記枠部材３の上方枠３ａに組込まれスクリーン部材４ａの下方への展開により前記エレベーター乗場出入口における遮煙および遮炎を行うためのスクリーン装置４、前記枠部材３の縦枠３ｂに設けられ前記スクリーン部材３ａを案内するガイド枠３ｃ、前記枠部材３の縦枠３ｂに組込まれ手動閉鎖ワイヤー６ａを介して前記スクリーン装置４による閉鎖動作を行うための手動閉鎖装置６を備え、前記手動閉鎖装置６により前記スクリーン装置４の閉鎖動作を行う前記手動閉鎖ワイヤー６ａを囲むように板状部材を曲げて形成され前記手動閉鎖装置６と前記スクリーン装置４との間に延在して前記手動閉鎖ワイヤー６ａを保護する保護カバー７と、前記ガイド枠３ｃに設けられ前記保護カバー７を取り付ける取付金具８からなる取付具とを設けるとともに、前記保護カバー７を手動閉鎖装置６全体が収まる形状とし、前記保護カバー７の下端面を蓋７ｂからなる閉塞部材で閉塞したので、手動閉鎖装置についての設置構造の簡略化を図るとともに、枠部材と同様の曲げ加工で手動閉鎖ワイヤーの保護カバーを適切に製作でき、コストを抑制できて、しかも、縦枠に設けられたガイド枠を利用して保護カバーを取り付けることによりモルタル等の手動閉鎖装置の内部への侵入を確実に防止でき、手動閉鎖装置全体の気密性が向上するばかりでなく、保護カバーの取付を更に迅速かつ適切に行えるエレベーター乗場出入口装置を得ることができる。
【図面の簡単な説明】
【００３０】
【図１】この発明による実施の形態１における構成を示す乗場側正面図である。
【図２】この発明による実施の形態１における構成を示す断面図である。
【図３】この発明による実施の形態２における構成を示すでの断面図である。
【図４】この発明による実施の形態２における他の構成を示す断面図である。
【図５】この発明による実施の形態３における構成を示す断面図である。
【図６】この発明による実施の形態３における構成を示す側面図である。
【図７】この発明による実施の形態４における構成を示す断面図である。
【図８】この発明による実施の形態４における構成を示す側面図である。
【符号の説明】
【００３１】
１  乗場の戸、１ａ  敷居、２  幕板、３  三方枠、３ａ  水平枠、３ｂ  縦枠、３ｃ  ガイド枠、４  遮煙・遮炎スクリーン装置、４ａ  遮煙・遮炎スクリーン、６  スクリーン手動閉鎖装置、６ａ  手動閉鎖ワイヤー、７  保護カバー、８  取付金具、８ａ，８ｂ  ねじ、８ｃ  シーリング材、８ｄ  つなぎ板、８ｅ，８ｆ  ねじ、８ｇ  シーリング材、８ｈ  スペーサ。
【図１】
2006036404.tif 000003
【図２】
2006036404.tif 000004
【図３】
2006036404.tif 000005
【図４】
2006036404.tif 000006
【図５】
2006036404.tif 000007
【図６】
2006036404.tif 000008
【図７】
2006036404.tif 000009
【図８】
2006036404.tif 000010